(57)【要約】      （修正有）【課題】構造が簡単で、補強部材自体の強度が高く組み立て配置が容易で耐震性能を増加することが可能なコンクリート構造物の耐震補強構造の提供。【解決手段】コンクリート柱１及びコンクリと梁２に固定され前方に突出する部分を有するあと施工アンカー３と、あと施工アンカー３が設置されたコンクリート柱１及びコンクリート梁２の表面にウェブがコンクリート柱１及びコンクリート梁２の表面と平行になるように配置されたフランジとウェブからなるＨ形鋼補強部材４と、ウェブとフランジに囲まれた空間に配置される曲げ補強鉄筋５と、コンクリート柱１及びコンクリート梁２と反対側のフランジ間に配置される型枠部材６と、型枠部材６とフランジ表面に配置される連続繊維シート７と、コンクリート柱１及びコンクリート梁２とフランジ及びウェブで囲まれた空間と、フランジ及びウェブと型枠部材６に囲まれた空間に充填される固化材９と、を備える。【選択図】図１
2019135348.tif 000002
【特許請求の範囲】
【請求項１】
コンクリート柱とコンクリート梁からなるコンクリート構造物の耐震補強構造において、
コンクリート柱及びコンクリと梁に固定され前方に突出する部分を有するあと施工アンカーと、
あと施工アンカーが設置されたコンクリート柱及びコンクリート梁の表面にウェブがコンクリート柱及びコンクリート梁の表面と平行になるように配置されたフランジとウェブからなるＨ形鋼補強部材と、
ウェブとフランジに囲まれた空間に配置される曲げ補強鉄筋と、
コンクリート柱及びコンクリート梁と反対側のフランジ間に配置される型枠部材と、
型枠部材とフランジ表面に配置される連続繊維シートと、
コンクリート柱及びコンクリート梁とフランジ及びウェブで囲まれた空間と、フランジ及びウェブと型枠部材に囲まれた空間に充填される固化材と、
を備えることを特徴とするコンクリート構造物の耐震補強構造。
【請求項２】
型枠部材を２つの部材で形成し、２つの部材の端部を折り曲げて水平に重なるようにし、２つの部材の端部間に水平方向に変位可能な隙間を設けることを特徴とする請求項１に記載のコンクリート構造物の耐震補強構造。
【請求項３】
連続繊維シートの上に補強プレートを積層配置することを特徴とする請求項１又は２に記載のコンクリート構造物の耐震補強構造。
【請求項４】
コンクリート柱及びコンクリート梁の表面にＬ字形連結部材をアンカーボルトで固定し、Ｌ字形連結部材にＨ形鋼補強部材のフランジを連結ボルトで固定することを特徴とする請求項１ないし３のいずれか１項に記載のコンクリート構造物の耐震補強構造。
【請求項５】
耐震補強されたコンクリート柱とコンクリート梁に鉄骨製の制振ブレースを配置することを特徴とする請求項１ないし４のいずれか１項に記載のコンクリート構造物の耐震補強構造。
【請求項６】
コンクリート柱及びコンクリート梁の複数の表面に障害物が無く露出している場合、露出している複数の表面に前記請求項１〜４のいずれか１項に記載の耐震補強を施すことを特徴とする請求項１〜５のいずれか１項に記載のコンクリート構造物の耐震補強構造。
【発明の詳細な説明】
【技術分野】
【０００１】
本発明は、鉄筋コンクリート造（ＲＣ造）又は鉄骨鉄筋コンクリート造（ＳＲＣ造）のコンクリート柱とコンクリート梁からなるコンクリート構造物の耐震補強構造に関する。
【背景技術】
【０００２】
従来、鉄筋コンクリート造（ＲＣ造）又は鉄骨鉄筋コンクリート造（ＳＲＣ造）のコンクリート柱とコンクリート梁からなるコンクリート構造物の耐震補強構造として、コンクリート柱、コンクリート梁の表面に補強枠体を配置し、コンクリート柱、コンクリート梁と補強枠体との空間にコンクリートモルタル等の固化材を充填し固化させ、補強枠体とコンクリート柱、コンクリート梁を一体化する外付け耐震補強工法が提案されている。
【０００３】
外付け耐震補強工法は、建物を使用した状態で工事が可能で美観を保ち経済性が高く、需要が増大している。
【先行技術文献】
【特許文献】
【０００４】
【特許文献１】特開２０１５−８６６９０号公報
【特許文献２】特開２０１６−２０４８４４号公報
【発明の概要】
【発明が解決しようとする課題】
【０００５】
しかしながら、従来のコンクリート構造物の外付け耐震補強工法は、補強枠体自体の強度が十分でなく、必要な耐震性能を得るため補強鉄筋の配置本数を増加する等の措置が必要となるという問題を有していた。
【０００６】
本発明は、従来技術の持つ課題を解決するもので、構造が簡単で、補強部材自体の強度が高く組み立て配置が容易で耐震性能を増加することが可能なコンクリート構造物の耐震補強構造を提供することを目的とする。
【課題を解決するための手段】
【０００７】
本発明のコンクリート構造物の耐震補強構造は、前記課題を解決するために、コンクリート柱とコンクリート梁からなるコンクリート構造物の耐震補強構造において、コンクリート柱及びコンクリートと梁に固定され前方に突出する部分を有するあと施工アンカーと、あと施工アンカーが設置されたコンクリート柱及びコンクリート梁の表面にウェブがコンクリート柱及びコンクリート梁の表面と平行になるように配置されたフランジとウェブからなるＨ形鋼補強部材と、ウェブとフランジに囲まれた空間に配置される曲げ補強鉄筋と、コンクリート柱及びコンクリート梁と反対側のフランジ間に配置される型枠部材と、型枠部材とフランジ表面に配置される連続繊維シートと、コンクリート柱及びコンクリート梁とフランジ及びウェブで囲まれた空間と、フランジ及びウェブと型枠部材に囲まれた空間に充填される固化材と、を備えることを特徴とする。
【０００８】
また、本発明のコンクリート構造物の耐震補強構造は、型枠部材を２つの部材で形成し、２つの部材の端部を折り曲げて水平に重なるようにし、２つの部材の端部間に水平方向に変位可能な隙間を設けることを特徴とする。
【０００９】
また、本発明のコンクリート構造物の耐震補強構造は、連続繊維シートの上に補強プレートを積層配置することを特徴とする。
【００１０】
また、本発明のコンクリート構造物の耐震補強構造は、コンクリート柱及びコンクリート梁の表面にＬ字形連結部材をアンカーボルトで固定し、Ｌ字形連結部材にＨ形鋼補強部材のフランジを連結ボルトで固定することを特徴とする。
【００１１】
また、本発明のコンクリート構造物の耐震補強構造は、耐震補強されたコンクリート柱とコンクリート梁に鉄骨製の制振ブレースを配置することを特徴とする。
【００１２】
また、本発明のコンクリート構造物の耐震補強構造は、コンクリート柱及びコンクリート梁の複数の表面に障害物が無く露出している場合、露出している複数の表面に前記請求項１〜４のいずれか１項に記載の耐震補強を施すことを特徴とする。
【発明の効果】
【００１３】
コンクリート柱とコンクリート梁からなるコンクリート構造物の耐震補強構造において、コンクリート柱及びコンクリート梁に固定され前方に突出する部分を有するあと施工アンカーと、あと施工アンカーが設置されたコンクリート柱及びコンクリート梁の表面にウェブがコンクリート柱及びコンクリート梁の表面と平行になるように配置されたフランジとウェブからなるＨ形鋼補強部材と、ウェブとフランジに囲まれた空間に配置される曲げ補強鉄筋と、コンクリート柱及びコンクリート梁と反対側のフランジ間に配置される型枠部材と、型枠部材とフランジ表面に配置される連続繊維シートと、コンクリート柱及びコンクリート梁とフランジ及びウェブで囲まれた空間と、フランジ及びウェブと型枠部材に囲まれた空間に充填される固化材と、を備えることで、Ｈ形鋼補強部材はフランジによる曲げ抵抗とウェブによるせん断抵抗をそれぞれ独立して構成された構造部材であり、この特性に固化材と曲げ補強鉄筋を付加した合成構造は、両者が一体となって耐震性能を飛躍的に増加することが可能となる。
型枠部材を２つの部材で形成し、２つの部材の端部を折り曲げて水平に重なるようにし、２つの部材の端部間に水平方向に変位可能な隙間を設けることで、地震時に負荷される応力により２つの部材間に滑り変形が発生し、その際の摩擦減衰により地震エネルギーを吸収することが可能となる。
連続繊維シートの上に補強プレートを積層配置することで、より耐震性能を向上させることが可能となる。
ンクリート柱及びコンクリート梁の表面にＬ字形連結部材をアンカーボルトで固定し、Ｌ字形連結部材にＨ形鋼補強部材のフランジを連結ボルトで固定することで、H形鋼補強部材を確実にコンクリート柱とコンクリート梁に固定することが可能となる。
耐震補強されたコンクリート柱とコンクリート梁に鉄骨製の制振ブレースを配置することで、耐震性能をより向上させることが可能となる。
コンクリート柱及びコンクリート梁の複数の表面に障害物が無く露出している場合、露出している複数の表面に前記請求項１〜４のいずれか１項に記載の耐震補強を施すことで、強度及び靭性共に飛躍的に増大することが可能となる。
【図面の簡単な説明】
【００１４】
【図１】本発明の実施形態を示す図である。
【図２】本発明の実施形態を示す図である。
【図３】本発明の実施形態を示す図である。
【図４】本発明の実施形態を示す図である。
【図５】本発明の実施形態を示す図である。
【図６】本発明の実施形態を示す図である。
【図７】本発明の実施形態を示す図である。
【図８】本発明の実施形態を示す図である。
【発明を実施するための形態】
【００１５】
本発明の実施の形態を図により説明する。図１、図２、図３は、本発明のコンクリート柱、コンクリート梁からなるコンクリート構造物の耐震補強構造の一実施形態を示す図である。
【００１６】
コンクリート柱１、コンクリート梁２に外付け耐震補強をするため、コンクリート柱１とコンクリート梁２に先端がコンクリート柱１とコンクリート梁２の表面から突出するあと施工アンカー３を設置する。
【００１７】
あと施工アンカー３を設置したコンクリート柱１とコンクリート梁２に、ウェブ４ａ、フランジ４ｂからなるＨ形鋼補強部材４をウェブ４ａがコンクリート柱１とコンクリート梁２の表面と平行になるように配置する。あと施工アンカー３の突出部が位置するフランジ４ｂとウェブ４ａの空間に曲げ補強筋５を配置する。コンクリート柱１とコンクリート梁２と反対側のフランジ４ｂとウェブ４ａの空間に曲げ補強筋５を配置する。
【００１８】
H形鋼補強部材４の開放されたフランジ４ｂ、４ｂとウェブ４ａに囲まれた空間を封鎖する永久型枠となる型枠部材６を設置する。型枠部材６は、図５に示されるように、端部が折り曲げ加工された２つの部材６ａ、６ｂにより構成される。折り曲げ加工された２つの部材６ａ、６ｂの端部は水平に重なるように配置され、水平に重なった端部間には水平方向に変位可能な隙間Ｒを設ける。変位可能な隙間Ｒは、地震時に負荷される応力により２つの部材６ａ、６ｂ間に滑り変形が発生し、その際の摩擦減衰により地震エネルギーを吸収することが可能となる。
【００１９】
型枠部材６とH形鋼補強部材４のフランジ４ｂ上に連続繊維シート７を接着剤により貼布する。連続繊維シート７の材料としては、カーボン繊維などの無機系繊維、アラミド繊維、ポリエチレン繊維、ポリアレート繊維などの有機系繊維である。これらの繊維で形成される１方向及び２方向の繊維シートの引張強度は５〜１８０ｔｏｎ／ｍと大きい。連続繊維シート７を型枠部材６とH形鋼補強部材４のフランジ４ｂ上に貼布することにより防錆による耐久性の向上が期待される。
【００２０】
連続繊維シート７の上に補強プレート８を積層配置し、耐震性能を一層向上させる。
【００２１】
コンクリート柱１及びコンクリート梁２とH形鋼補強部材４のフランジ４ｂとウェブ４ａに囲まれた空間と、型枠部材６とH形鋼補強部材４のフランジ４ｂとウェブ４ａに囲まれた空間に高強度高流動性コンクリートモルタル等の固化材９を充填し固化させ、コンクリート柱１及びコンクリート梁２とＨ形鋼補強部材４を一体化する。あと施工アンカー３は、H形鋼補強部材４とコンクリート柱１、コンクリート梁２との空間に充填される固化材の固化によりＨ形鋼補強部材４とコンクリート柱１とコンクリート梁
２との一体化を促進し耐震性を向上させる。
【００２２】
Ｈ形鋼補強部材４は、フランジ４ｂによる曲げ抵抗とウェブ４ａによるせん断抵抗をそれぞれ独立して構成された構造部材であり、この特性に固化材９と曲げ補強鉄筋５を付加した合成構造は、両者が一体となって耐震性能を飛躍的に増加することが可能となる。
【００２３】
図２に示されるように、コンクリート柱１及びコンクリート梁２にＨ形鋼補強部材４を配置した架構の中にガセットプレート１０を介して鉄骨製の制振ブレース１１を組み込むことによりさらに強靭な耐震性能を得ることが可能となる。図２中１２は床スラブである。
【００２４】
図４は、コンクリート柱１、コンクリート梁２からなるコンクリート構造物の耐震補強構造の他の実施形態を示す図である。
【００２５】
コンクリート柱１、コンクリート梁２に外付け耐震補強をするため、コンクリート柱１とコンクリート梁２に先端がコンクリート柱１とコンクリート梁２の表面から突出するあと施工アンカー３を設置する。
【００２６】
コンクリート柱１、コンクリート梁２に断面Ｌ字形連結部材１３をアンカーボルト１４で固定する。コンクリート柱１とコンクリート梁２に、ウェブ４ａ、フランジ４ｂからなるＨ形鋼補強部材４をウェブ４ａがコンクリート柱１とコンクリート梁２の表面と平行になるように配置し、フランジ４ｂと断面Ｌ字形連結部材１３を連結ボルト１５で固定する。
【００２７】
あと施工アンカー３の突出部が位置するフランジ４ｂとウェブ４ａの空間に曲げ補強筋５を配置する。コンクリート柱１とコンクリート梁２と反対側のフランジ４ｂとウェブ４ａの空間に曲げ補強筋５を配置する。
【００２８】
H形鋼補強部材４の開放されたフランジ４ｂ、４ｂとウェブ４ａに囲まれた空間を封鎖する永久型枠となる型枠部材６を設置する。型枠部材６とH形鋼補強部材４のフランジ４ｂ上に連続繊維シート７を接着剤により貼布する。連続繊維シート７の上に補強プレート８を積層配置し、耐震性能を一層向上させる。
【００２９】
コンクリート柱１及びコンクリート梁２とH形鋼補強部材４のフランジ４ｂとウェブ４ａに囲まれた空間と、型枠部材６とH形鋼補強部材４のフランジ４ｂとウェブ４ａに囲まれた空間に高強度高流動性コンクリートモルタル等の固化材９を充填し固化させ、コンクリート柱１及びコンクリート梁２とＨ形鋼補強部材４を一体化する。
【００３０】
この実施形態では、コンクリート柱１及びコンクリート梁２とＨ形鋼補強部材４が断面Ｌ字形連結部材１３を介して固定されるので、さらに耐震性能が向上する。
【００３１】
図６、図７、図８は、コンクリート柱１とコンクリート梁２の複数の外表面が障害物が無い状態で露出する場合、図３、図４に示される外付けタイプの耐震補強を複数の外表面に実施する。特に，コンクリート柱１の複数の外表面に実施するのが有効である。
【００３２】
図６は、コンクリート柱１とコンクリート梁２の２面に図３、図４に示される外付けタイプの耐震補強を施した実施形態を示す図であり、図７は、コンクリート柱１とコンクリート梁２の３面に図３、図４に示される外付けタイプの耐震補強を施した実施形態を示す図であり、図８は、コンクリート柱１とコンクリート梁２の４面（全周）に図３、図４に示される外付けタイプの耐震補強を施した実施形態を示す図である。複数のコンクリート柱１及びコンクリート梁２の外表面に耐震補強を施すことにより強度及び靭性共に増加する。
【００３３】
以上のように、本発明のコンクリート構造物の耐震補強構造によれば、Ｈ形鋼補強部材はフランジによる曲げ抵抗とウェブによるせん断抵抗をそれぞれ独立して構成された構造部材であり、この特性に固化材と曲げ補強鉄筋を付加した合成構造は、両者が一体となって耐震性能を飛躍的に増加することが可能となる。
【符号の説明】
【００３４】
１：コンクリート柱、２：コンクリート梁、３：あと施工アンカー、４：Ｈ形鋼補強部材、４ａ：ウェブ、４ｂ：フランジ、５：曲げ補強筋、６：型枠部材、６ａ：折り曲げ加工された部材、６ｂ：折り曲げ加工された部材、７：連続繊維シート、８：補強プレート、９：固化材、１０：ガセットプレート、１１：制振ブレース、１２：床スラブ、１３：断面Ｌ字形連結部材、１４：アンカーボルト、１５：連結ボルト
【図１】
2019135348.tif 000003
【図２】
2019135348.tif 000004
【図３】
2019135348.tif 000005
【図４】
2019135348.tif 000006
【図５】
2019135348.tif 000007
【図６】
2019135348.tif 000008
【図７】
2019135348.tif 000009
【図８】
2019135348.tif 000010
【手続補正書】
【提出日】平成30年6月4日(2018.6.4)
【手続補正１】
【補正対象書類名】特許請求の範囲
【補正対象項目名】全文
【補正方法】変更
【補正の内容】
【特許請求の範囲】
【請求項１】
コンクリート柱とコンクリート梁からなるコンクリート構造物の耐震補強構造において、
コンクリート柱及びコンクリート梁に固定され前方に突出する部分を有するあと施工アンカーと、
あと施工アンカーが設置されたコンクリート柱及びコンクリート梁の表面にウェブがコンクリート柱及びコンクリート梁の表面と平行になり、両フランジ端部がコンクリート柱とコンクリート梁の表面と接するように配置されたフランジとウェブからなるＨ形鋼補強部材と、
ウェブとフランジに囲まれた空間に配置される曲げ補強鉄筋と、
コンクリート柱及びコンクリート梁と反対側のフランジの内側に配置され、フランジの内側面にそれぞれ接する部分を有する２つの部材で形成され、２つの部材の端部を互いに逆方向に平行に伸び段差を設けて折り曲げ、互いに逆方向に平行に伸び段差を設けた２つの部材の折り曲げ部の表面及びフランジ端部表面が水平に重なるようにし、段差を設けて逆方向に平行に伸びる２つの部材の端部間に水平方向に変位可能な隙間を設けた型枠部材と、
型枠部材とフランジ表面に配置される連続繊維シートと、
コンクリート柱及びコンクリート梁とフランジ及びウェブで囲まれた空間と、フランジ及びウェブと型枠部材に囲まれた空間に充填される固化材と、
を備えることを特徴とするコンクリート構造物の耐震補強構造。
【請求項２】
連続繊維シートの上に補強プレートを積層配置することを特徴とする請求項１又は２に記載のコンクリート構造物の耐震補強構造。
【請求項３】
コンクリート柱及びコンクリート梁の表面にＬ字形連結部材をアンカーボルトで固定し、Ｌ字形連結部材にＨ形鋼補強部材のフランジを連結ボルトで固定することを特徴とする請求項１ないし３のいずれか１項に記載のコンクリート構造物の耐震補強構造。
【請求項４】
耐震補強されたコンクリート柱とコンクリート梁に鉄骨製の制振ブレースを配置することを特徴とする請求項１ないし３のいずれか１項に記載のコンクリート構造物の耐震補強構造。
【請求項５】
コンクリート柱及びコンクリート梁の複数の表面に障害物が無くコンクリート柱及びコンクリート梁の表面が露出している場合、露出している複数の表面に前記請求項１〜４のいずれか１項に記載の耐震補強を施すことを特徴とする請求項１〜４のいずれか１項に記載のコンクリート構造物の耐震補強構造。
【手続補正２】
【補正対象書類名】明細書
【補正対象項目名】０００７
【補正方法】変更
【補正の内容】
【０００７】
本発明のコンクリート構造物の耐震補強構造は、前記課題を解決するために、コンクリート柱とコンクリート梁からなるコンクリート構造物の耐震補強構造において、コンクリート柱及びコンクリート梁に固定され前方に突出する部分を有するあと施工アンカーと、
あと施工アンカーが設置されたコンクリート柱及びコンクリート梁の表面にウェブがコンクリート柱及びコンクリート梁の表面と平行になり、両フランジ端部がコンクリート柱とコンクリート梁の表面と接するように配置されたフランジとウェブからなるＨ形鋼補強部材と、ウェブとフランジに囲まれた空間に配置される曲げ補強鉄筋と、コンクリート柱及びコンクリート梁と反対側のフランジの内側に配置され、フランジの内側面にそれぞれ接する部分を有する２つの部材で形成され、２つの部材の端部を互いに逆方向に平行に伸び段差を設けて折り曲げ、互いに逆方向に平行に伸び段差を設けた２つの部材の折り曲げ部の表面及びフランジ端部表面が水平に重なるようにし、段差を設けて逆方向に平行に伸びる２つの部材の端部間に水平方向に変位可能な隙間を設けた型枠部材と、型枠部材とフランジ表面に配置される連続繊維シートと、コンクリート柱及びコンクリート梁とフランジ及びウェブで囲まれた空間と、フランジ及びウェブと型枠部材に囲まれた空間に充填される固化材と、を備えることを特徴とする。
【手続補正３】
【補正対象書類名】明細書
【補正対象項目名】０００８
【補正方法】削除
【補正の内容】
【手続補正４】
【補正対象書類名】明細書
【補正対象項目名】００１２
【補正方法】変更
【補正の内容】
【００１２】
また、本発明のコンクリート構造物の耐震補強構造は、コンクリート柱及びコンクリート梁の複数の表面に障害物が無くコンクリート柱及びコンクリート梁の表面が露出している場合、露出している複数の表面に前記請求項１〜４のいずれか１項に記載の耐震補強を施すことを特徴とする。
【手続補正５】
【補正対象書類名】明細書
【補正対象項目名】００１３
【補正方法】変更
【補正の内容】
【００１３】
コンクリート柱とコンクリート梁からなるコンクリート構造物の耐震補強構造において、コンクリート柱及びコンクリート梁に固定され前方に突出する部分を有するあと施工アンカーと、あと施工アンカーが設置されたコンクリート柱及びコンクリート梁の表面にウェブがコンクリート柱及びコンクリート梁の表面と平行になり、両フランジ端部がコンクリート柱とコンクリート梁の表面と接するように配置されたフランジとウェブからなるＨ形鋼補強部材と、ウェブとフランジに囲まれた空間に配置される曲げ補強鉄筋と、コンクリート柱及びコンクリート梁と反対側のフランジの内側に配置され、フランジの内側面にそれぞれ接する部分を有する２つの部材で形成され、２つの部材の端部を互いに逆方向に平行に伸び段差を設けて折り曲げ、互いに逆方向に平行に伸び段差を設けた２つの部材の折り曲げ部の表面及びフランジ端部表面が水平に重なるようにし、段差を設けて逆方向に平行に伸びる２つの部材の端部間に水平方向に変位可能な隙間を設けた型枠部材と、型枠部材とフランジ表面に配置される連続繊維シートと、コンクリート柱及びコンクリート梁とフランジ及びウェブで囲まれた空間と、フランジ及びウェブと型枠部材に囲まれた空間に充填される固化材と、を備えることで、Ｈ形鋼補強部材はフランジによる曲げ抵抗とウェブによるせん断抵抗をそれぞれ独立して構成された構造部材であり、この特性に固化材と曲げ補強鉄筋を付加した合成構造は、両者が一体となって耐震性能を飛躍的に増加することが可能となり、互いに逆方向に平行に伸び段差を設けた２つの部材の折り曲げ部の表面及びフランジ端部表面が水平に重なるよう配置されるので表面に配置される連続繊維シートを段差無く配置することが可能となり、地震時に負荷される応力により型枠部材の２つの部材間に滑り変形が発生し、その際の摩擦減衰により地震エネルギーを吸収することが可能となる。
連続繊維シートの上に補強プレートを積層配置することで、より耐震性能を向上させることが可能となる。
コンクリート柱及びコンクリート梁の表面にＬ字形連結部材をアンカーボルトで固定し、Ｌ字形連結部材にＨ形鋼補強部材のフランジを連結ボルトで固定することで、H形鋼補強部材を確実にコンクリート柱とコンクリート梁に固定することが可能となる。
耐震補強されたコンクリート柱とコンクリート梁に鉄骨製の制振ブレースを配置することで、耐震性能をより向上させることが可能となる。
コンクリート柱及びコンクリート梁の複数の表面に障害物が無くコンクリート柱及びコンクリート梁の表面が露出している場合、露出している複数の表面に前記請求項１〜４のいずれか１項に記載の耐震補強を施すことことで、強度及び靭性共に飛躍的に増大することが可能となる。
【手続補正書】
【提出日】平成30年7月19日(2018.7.19)
【手続補正１】
【補正対象書類名】特許請求の範囲
【補正対象項目名】全文
【補正方法】変更
【補正の内容】
【特許請求の範囲】
【請求項１】
コンクリート柱とコンクリート梁からなるコンクリート構造物の耐震補強構造において、
コンクリート柱及びコンクリート梁に固定され前方に突出する部分を有するあと施工アンカーと、
あと施工アンカーが設置されたコンクリート柱及びコンクリート梁の表面にウェブがコンクリート柱及びコンクリート梁の表面と平行になり、両フランジ端部がコンクリート柱とコンクリート梁の表面と接するように配置されたフランジとウェブからなるＨ形鋼補強部材と、
ウェブとフランジに囲まれた空間に配置される曲げ補強鉄筋と、
コンクリート柱及びコンクリート梁と反対側のフランジの内側に配置され、フランジの内側面にそれぞれ接する部分を有する２つの部材で形成され、２つの部材の端部を互いに逆方向に平行に伸び段差を設けて重なるように折り曲げ、互いに逆方向に平行に伸び段差を設けた２つの部材の端部の表面及びフランジ端部表面が面一になるようにし、段差を設けて逆方向に平行に伸びる２つの部材の端部間に該端部を水平方向に変位可能とする隙間を該段差によって設けた型枠部材と、
型枠部材とフランジ表面に配置される連続繊維シートと、
コンクリート柱及びコンクリート梁とフランジ及びウェブで囲まれた空間と、フランジ及びウェブと型枠部材に囲まれた空間に充填される固化材と、
を備えることを特徴とするコンクリート構造物の耐震補強構造。
【請求項２】
連続繊維シートの上に補強プレートを積層配置することを特徴とする請求項１に記載のコンクリート構造物の耐震補強構造。
【請求項３】
コンクリート柱及びコンクリート梁の表面にＬ字形連結部材をアンカーボルトで固定し、Ｌ字形連結部材にＨ形鋼補強部材のフランジを連結ボルトで固定することを特徴とする請求項１又は２に記載のコンクリート構造物の耐震補強構造。
【請求項４】
耐震補強されたコンクリート柱とコンクリート梁に鉄骨製の制振ブレースを配置することを特徴とする請求項１ないし３のいずれか１項に記載のコンクリート構造物の耐震補強構造。
【請求項５】
コンクリート柱及びコンクリート梁の複数の表面に障害物が無くコンクリート柱及びコンクリート梁の表面が露出しており、露出している複数の表面に請求項１〜４のいずれか１項に記載の耐震補強構造構造を備えたコンクリート構造物。
【手続補正２】
【補正対象書類名】明細書
【補正対象項目名】０００７
【補正方法】変更
【補正の内容】
【０００７】
本発明のコンクリート構造物の耐震補強構造は、前記課題を解決するために、コンクリート柱とコンクリート梁からなるコンクリート構造物の耐震補強構造において、コンクリート柱及びコンクリート梁に固定され前方に突出する部分を有するあと施工アンカーと、あと施工アンカーが設置されたコンクリート柱及びコンクリート梁の表面にウェブがコンクリート柱及びコンクリート梁の表面と平行になり、両フランジ端部がコンクリート柱とコンクリート梁の表面と接するように配置されたフランジとウェブからなるＨ形鋼補強部材と、ウェブとフランジに囲まれた空間に配置される曲げ補強鉄筋と、コンクリート柱及びコンクリート梁と反対側のフランジの内側に配置され、フランジの内側面にそれぞれ接する部分を有する２つの部材で形成され、２つの部材の端部を互いに逆方向に平行に伸び段差を設けて重なるように折り曲げ、互いに逆方向に平行に伸び段差を設けた２つの部材の端部の表面及びフランジ端部表面が面一になるようにし、段差を設けて逆方向に平行に伸びる２つの部材の端部間に該端部を水平方向に変位可能とする隙間を該段差によって設けた型枠部材と、型枠部材とフランジ表面に配置される連続繊維シートと、コンクリート柱及びコンクリート梁とフランジ及びウェブで囲まれた空間と、フランジ及びウェブと型枠部材に囲まれた空間に充填される固化材と、を備えることを特徴とする。
【手続補正３】
【補正対象書類名】明細書
【補正対象項目名】００１２
【補正方法】変更
【補正の内容】
【００１２】
また、本発明のコンクリート構造物の耐震補強構造は、コンクリート柱及びコンクリート梁の複数の表面に障害物が無くコンクリート柱及びコンクリート梁の表面が露出しており、露出している複数の表面に請求項１〜４のいずれか１項に記載の耐震補強構造構造を備えている。
【手続補正４】
【補正対象書類名】明細書
【補正対象項目名】００１３
【補正方法】変更
【補正の内容】
【００１３】
コンクリート柱とコンクリート梁からなるコンクリート構造物の耐震補強構造において、コンクリート柱及びコンクリート梁に固定され前方に突出する部分を有するあと施工アンカーと、あと施工アンカーが設置されたコンクリート柱及びコンクリート梁の表面にウェブがコンクリート柱及びコンクリート梁の表面と平行になり、両フランジ端部がコンクリート柱とコンクリート梁の表面と接するように配置されたフランジとウェブからなるＨ形鋼補強部材と、ウェブとフランジに囲まれた空間に配置される曲げ補強鉄筋と、コンクリート柱及びコンクリート梁と反対側のフランジの内側に配置され、フランジの内側面にそれぞれ接する部分を有する２つの部材で形成され、２つの部材の端部を互いに逆方向に平行に伸び段差を設けて重なるように折り曲げ、互いに逆方向に平行に伸び段差を設けた２つの部材の端部の表面及びフランジ端部表面が面一になるようにし、段差を設けて逆方向に平行に伸びる２つの部材の端部間に該端部を水平方向に変位可能とする隙間を該段差によって設けた型枠部材と、型枠部材とフランジ表面に配置される連続繊維シートと、コンクリート柱及びコンクリート梁とフランジ及びウェブで囲まれた空間と、フランジ及びウェブと型枠部材に囲まれた空間に充填される固化材と、を備えることで、Ｈ形鋼補強部材はフランジによる曲げ抵抗とウェブによるせん断抵抗をそれぞれ独立して構成された構造部材であり、この特性に固化材と曲げ補強鉄筋を付加した合成構造は、両者が一体となって耐震性能を飛躍的に増加することが可能となり、互いに逆方向に平行に伸び段差を設けた２つの部材の端部の表面が面一なので表面に配置される連続繊維シートを段差無く配置することが可能となり、地震時に負荷される応力により型枠部材の２つの部材間に滑り変形が発生し、その際の摩擦減衰により地震エネルギーを吸収することが可能となる。
連続繊維シートの上に補強プレートを積層配置することで、より耐震性能を向上させることが可能となる。
コンクリート柱及びコンクリート梁の表面にＬ字形連結部材をアンカーボルトで固定し、Ｌ字形連結部材にＨ形鋼補強部材のフランジを連結ボルトで固定することで、H形鋼補強部材を確実にコンクリート柱とコンクリート梁に固定することが可能となる。
耐震補強されたコンクリート柱とコンクリート梁に鉄骨製の制振ブレースを配置することで、耐震性能をより向上させることが可能となる。
コンクリート柱及びコンクリート梁の複数の表面に障害物が無くコンクリート柱及びコンクリート梁の表面が露出しており、露出している複数の表面に請求項１〜４のいずれか１項に記載の耐震補強構造構造を備えたことで、強度及び靭性共に飛躍的に増大することが可能となる。